(57)【要約】【課題】  使用態様にかかわらず、人体の皮膚への高い適合性及び高いゲル強度を有するとともに低皮膚刺激性を有する外用ゲル基剤を提供すること。【解決手段】  水溶性高分子により形成され、自己形態保持性を有し、含水率が３０〜９５質量％のゲル状組成物であって、かつ、一定速度での押圧可能なプランジャーを用いて所定速度でゲル状組成物を圧縮した際の、ゲル構造の一部破壊に至るまでの最大の変形率を表す圧縮変形率が６５〜９９％であるゲル状組成物と、該ゲル状組成物に混入されるポリフェノール類とからなることを特徴とする外用ゲル基剤。【選択図】  なし【特許請求の範囲】
【請求項１】
水溶性高分子により形成され、自己形態保持性を有し、含水率が３０〜９５質量％で、ポリフェノール類を含有するゲル状組成物からなり、該ゲル状組成物のゲル強度が、上記ポリフェノール類を除いたゲル状組成物のゲル強度よりも大であることを特徴とする外用ゲル基剤。
【請求項２】
ポリフェノール類を０.００１〜１０質量％で含有するゲル状組成物のゲル強度が、上記ポリフェノール類を除いたゲル状組成物のゲル強度の１.２〜１０倍である請求項1記載の外用ゲル基剤。
【請求項３】
水溶性高分子が、カラギーナン、ローカストビーンガム及びグルコマンナンを主成分とする請求項１又は２に記載の外用ゲル基剤。
【請求項４】
ポリフェノール類が、オリーブ由来のものである請求項１〜３のいずれかに記載の外用ゲル基剤。
【請求項５】
ポリフェノール類が、黒米由来のものである請求項１〜３のいずれかに記載の外用ゲル基剤。
【請求項６】
褐色透明である請求項１〜５のいずれかに記載の外用ゲル基剤。
【請求項７】
シート状に成形されてなる請求項１〜６のいずれかに記載の外用ゲル基剤。
【請求項８】
所定形状の凹部を有する容器体内に、請求項１〜７のいずれかに記載の外用ゲル基剤が上記凹部形状と略一致する形状で収容されると共に、該容器体が蓋材にて開閉可能に密閉されてなる容器充填型パッド材。
【発明の詳細な説明】
【技術分野】
【０００１】
本発明は、保冷・保湿用ゲルのほか、医薬用ゲル、化粧用ゲル、医薬部外品用ゲル、消臭用ゲル、忌避用ゲル、芳香用ゲル等として用いられる外用ゲル基剤及びこのゲル基剤を容器に収容した容器充填型パッド材に関する。
【背景技術】
【０００２】
従来から、ゲル体が、医薬、化粧品、医薬部外品、日用又は衛生雑貨等の分野において外用剤又は外用基剤として利用されている。
【０００３】
例えば、ゲル体中に、任意に薬効成分等を混合し、このゲル体を不織布等によって支持させて、人体の皮膚上に貼付しうるシート状に構成されたいわゆるパップ剤は公知である（例えば、特許文献１及び２等）。
【０００４】
一方、自己形態保持性を有するゲル体が、不織布等の支持無くシート状に成形され、薬理活性物質や化粧料有効成分等を含有して外用剤や化粧品として使用されるいわゆるゲルシートも公知である（例えば、特許文献３等）。
【０００５】
ところで、上記の支持体を有しないゲルシートは、ゲル自体の化学的・物理的性質がそのまま製品に反映されるため、外用剤や化粧品としての用途においてゲル強度が弱くて適用時に破れてしまったりすることが頻繁にあった。
【０００６】
また、上記ゲルシートは薄ければ薄いほど貼付部位へのフィット性が良好となるが、強度が低くて実用に耐えなかったり、強度を上げようとするとゲル成分濃度が増して薄物への成形が困難になるという問題があった。
【０００７】
【特許文献１】特開平１１−２２８３４０
【特許文献２】特開２００１−２６５４０
【特許文献３】特開平８−２９００５１
【発明の開示】
【発明が解決しようとする課題】
【０００８】
本発明は、フィット性及び強度に優れたゲル組成物を提供することにある。
【課題を解決するための手段】
【０００９】
本発明は、上記課題を解決するために、ゲル組成物に特定の物質を含有させることにより成形性を増しかつゲル強度を増すことができる点を見出し、本発明の完成に至った。
【００１０】
すなわち、本発明によれば、水溶性高分子により形成され、自己形態保持性を有し、含水率が３０〜９５質量％で、ポリフェノール類を含有するゲル状組成物からなり、該ゲル状組成物のゲル強度が、上記ポリフェノール類を除いたゲル状組成物のゲル強度よりも大であることを特徴とする外用ゲル基剤が提供される。
【００１１】
また、上記外用ゲル基剤が、所定形状の凹部を有する容器体内に該凹部形状と略一致する形状で収容されると共に、該容器体が蓋材にて開閉可能に密閉されてなる容器充填型パッド材が提供される。
【発明の効果】
【００１２】
本発明によれば、水溶性高分子にポリフェノール類を含有することにより、ゲル組成物の粘度を殆ど上昇させることなくゲル強度を高めることができるので、薄物のゲルシートを充填法により簡単に製造することができる。
【００１３】
また、複雑な形状や細い形状の凹所等いずれにもゲル組成物を気泡を抱き込まずに充填させることができると共に、得られるゲルシートはその取り出しの際の圧縮や引っ張りに十分耐えうるゲル強度を有しているので、このような含水率の高いゲル組成物を取り扱う際の折れ、割れ、ちぎれ等が防止でき、成形性及び取り扱い性を著しく向上させることができる。
【発明を実施するための最良の形態】
【００１４】
本発明の外用ゲル基剤において、ゲルを構成する水溶性高分子は、３０〜９５質量％に含水した状態で自己形態保持性を有するゲル組成物を構成するものであれば、特にその種類は限定されないが、例えば、ゲル状組成物とした際に透明となるものが好ましい。ここで、透明とは、いわゆるウォータークリアとよばれるような無色で濁りのない状態を意味する。水溶性高分子における水溶性とは室温付近で、水溶性高分子１ｇが３０ｍｌ程度未満の水に溶解する性質を意味する。
【００１５】
水溶性高分子は、天然水溶性高分子及び合成水溶性高分子のいずれをも用いることができ、またこれらの混合物を用いることもできる。天然の水溶性高分子では特に多糖類が好ましい。天然の水溶性高分子の具体例としては、カラギーナン、ローカストビーンガム、グルコマンナン、寒天、アガロース、キサンタンガム、グアーガム、ジェランガム、タマリンドシードガム、カラヤガム、ペクチン、ゼラチン等が挙げられる。
【００１６】
また、合成の水溶性高分子の具体例としては、カルボキシメチルセルロース、カルボキシメチルセルロースナトリウム、カルボキシビニルポリマー、ポリアクリル酸、ポリビニルアルコール、アルギン酸、グラフトデンプン、アガロース、ポリグルタミン酸、アーネストガム又はそれらの塩及び部分中和物等が挙げられる。必要に応じて、上記水溶性高分子と塩化カリウム、乳酸カルシウム等の架橋剤を併用してゲル強度を高めることもできる。
【００１７】
水溶性高分子は、１種又は２種以上の混合物として用いることができる。なかでも、２種以上を組み合わせて用いることが好ましく、天然の水溶性高分子を２種以上組み合わせて用いることがより好ましい。特に、カラギーナン、ローカストビーンガム、グルコマンナンが含有されていることが好ましい。なお、カラギーナンは、一般に、アイリッシュモスという海藻から抽出されるものであり、硫酸基を含むガラクタンという多糖類の１種であり、カッパー、イオタ、ラムダ形がある。本発明においては、いずれの形も含むが、特に、カッパー及び／又はイオタ形を用いることが好ましい。
【００１８】
また、ローカストビーンガムは、地中海沿岸に生育する多年生豆科植物、カロブ樹（Ceratonia siliquae）の種子の胚乳部分を紛糾後、精製したガラクトース、マンノースを含む水溶性多糖類で食品に安定剤、増粘剤、結着剤として用いられる。
【００１９】
グルコマンナンは、サトイモ科に属するAmorphophallus Konjac, K  Kochの塊茎（芋）から精製・分離・粉砕して得られた多糖類でグルコース、マンノースを含む。プロポール及びレオレックスＲＳ（清水化学株式会社製）がある。
【００２０】
本発明において、カラギーナンを用いる場合には、カッパー形及びイオタ形の双方を含有することが好ましく、カラギーナンと他の水溶性高分子との混合割合は、例えば、１：０（質量比）〜１：１０（質量比）が好ましい。さらに、好ましい具体的な組み合わせは、カッパー形及びイオタ形カラギーナン、ローカストビーンガム、グルコマンナンの組み合わせであり、その組み合わせの割合は、特に限定されるものではないが、１０〜１：１０〜１：１（質量比）程度が挙げられる。
【００２１】
水溶性高分子は、外用ゲル基剤に対して、０.１〜１０質量％程度含有されていることが適当であり、好ましくは０.３〜５質量％、さらに好ましくは０.５〜３質量％程度である。なお、水溶性高分子は、可食性であることが好ましい。ここで可食性とは、食品等を規制する法律によって、飲食が許容されていることを意味する。
【００２２】
また、外用ゲル基剤における含水率（質量％）は、３０〜９５％程度、好ましくは４０〜８０％程度である。含水率が３０％程度より小さい場合は、保水性が著しく低下して剛性が大きく脆くなり、皮膚から剥がれやすくなって、皮膚表面を乾燥させたり、かぶれさせるなどの不都合をもたらす。また、含水率が９５％を越えると、ゲル強度が著しく低下して、ゲル状組成物が柔らかくかつもろくなり、使用に十分に耐え得なくなるとともに、使用時の離水が顕著になって取扱い性が悪くなり、皮膚からも剥がれやすくなる。
【００２３】
本発明の外用ゲル基剤において、含有されるポリフェノール類としては、例えばオリーブ由来のものや、黒米、黒砂糖由来のものを好ましいものとして挙げることができるが、別段これらに限定されるものでもない。
【００２４】
オリーブ由来のポリフェノールについては、オリーブ葉や果実などに含まれるオリュロペインやヒドロキシチロソール、アクテオシドなどが挙げられる。また原料では、これらを活性成分とするオリーブ葉エキスやオリーブ果実エキスなどがある。
【００２５】
黒米は中国では滋養強壮に効く「薬米」として漢方薬に重用されてきた長い歴史をもつもので、この黒米には、ビタミン、ミネラルの他、ポリフェノールの一種であるアントシアニン系色素が豊富に含まれている。
黒米由来ポリフェノールは、この黒米の玄米をミルで粉砕し、例えばトリフルオロ酢酸、ギ酸、メタノール等の混合溶媒で抽出した際、その抽出液（黒米エキス）に含まれる着色した成分をいい、アントシアニン系色素が主成分となっている。
【００２６】
本発明において、上記ポリフェノール類は一般に外用ゲル基剤中に０.００１〜１０質量％の割合で用いられ、０.０１〜５質量％の割合が好ましい。ポリフェノール類の含量割合が０.００１質量％よりも小さいときは得られる外用ゲル基剤のゲル強度に所望の効果が得られなく、１０質量％よりも大きい場合は得られる外用ゲル基剤がフィット性に欠けたり、色が濃くなったりするなど基剤としての適性を損ない、またコスト的にも高価になる点で好ましくない。
【００２７】
本発明の外用ゲル基剤において、含有されるポリフェノール類のうち、オリーブ由来のものを用いる場合の配合割合は、０.０５〜５質量％が好ましく、黒米由来のものを用いる場合の配合割合は、０.０１〜５質量％が好ましいが、別段これらに限定されるものでもない。
【００２８】
本発明の外用ゲル基剤において、好ましいゲル強度としてとは、用途によって多少異なるが、概ね３.５〜３０Ｎとされる。しかしながら別段これに限定されるものでもない。
【００２９】
なお、上記ゲル強度は、上記水溶性高分子からなるゲル状組成物を、直径９ｃｍψの円形断面を有する長さ１０ｍｍの円筒形に成形し、ここに、この円形断面よりも大きい断面を有するプランジャにて一定速度、例えば１０ｍｍ／分で押圧した際、ゲルの一部が破壊される最大の荷重でもって表される数値をいう。
【００３０】
本発明の外用ゲル基剤は、水溶性高分子及びポリフェノール類を必要に応じて湿潤剤にて湿潤させた後、適量の水に懸濁させ、さらに所定量まで水を添加し、これを７０〜１００℃程度の温度雰囲気下にて溶解させ、２０〜６０℃程度に冷却することによりゲル化させることができる。上記湿潤、懸濁の際や冷却の際に、アロマオイルや活性成分としての薬剤（例えば、消炎剤、鎮痛剤、鎮痒剤、ビタミン等）又は化粧料有効成分（収斂剤、痩身成分、コラーゲン等）を添加してもよいし、医薬、化粧品および食品の分野において使用される添加剤、例えば、防腐剤、殺菌剤、香料、着色剤、抗酸化剤、増粘剤等を添加してもよい。
【００３１】
アロマオイルとしては、一般にアロマテラピーに用いられる精油成分（精油類）をそのまま用いることができる。この精油成分としては、例えば、ワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルモダン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物が挙げられる。
【００３２】
化粧料有効成分や添加剤としては、当該分野で公知のものを使用することができる。ここで、化粧料に含ませる痩身成分としては、公知のホスホジエステラーゼ活性阻害剤、脂肪細胞分化抑制剤、血行促進剤、リパーゼ活性促進剤等が挙げられ、具体的にはラズベリーケトンやカフェイン、テオフィリン等のキサンチン誘導体や海草エキスやカプサイシンなどが好適なものとして挙げられるがこれらに限定されるものでもない。なお、上記痩身成分を配合した外用ゲル基剤は皮膚に貼付した際の感触や貼付後の肌の感じが良くなる点で好ましい。
【００３３】
薬剤としては、例えば、メントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ及びその誘導体並びにその塩類、水溶性アズレン、アクリノール等が挙げられる。これらの薬剤は、高分子膜で包んだ粒状体又は多孔性粒子に担持させた粒状体として用いてもよい。
【００３４】
本発明の外用ゲル基剤は、医薬、化粧品、医薬部外品、日用又は衛生雑貨等の分野において、人体の皮膚に貼付又は接触させて使用することができる。したがって、外用ゲル基剤の形状は、その用途に応じた形状に成型することができる。具体的には、厚み０.５〜５ｍｍ程度のシート状で、額、顔、目の上下、目尻、唇、頬、腕、脇、足、背中、腰、関節、肩に貼付するための適当な大きさの冷却シート、厚み０.５〜５ｍｍ程度の顔全体を覆う円状又は楕円状、又は顔の上半分及び下半分をそれぞれ覆う略半円形状や略三日月形状のフェイスマスク、厚み０.５〜５ｍｍ程度の略三日月状の目元パック、厚み０.５〜５ｍｍ程度の円板状、矩形状のかゆみ止めパッチ、ニキビ用パッチ、厚み１〜５ｍｍ程度の種々の形状の日焼け・ほてり等のケア用ゲルシート、厚み０.５〜５ｍｍ程度のシート状で、顎、腕、足、大腿、臀部、腹部に貼付するための適当な大きさのスリミングシート等が挙げられる。
【００３５】
これらの外用ゲル基剤は、活性成分を含まないゲル状組成物のまま又はその中に薬剤や化粧料有効成分等の活性成分を含有させて使用することができるし、不織布等の支持体とともに又は自己形態保持性を有するため支持体を用いずにそのまま使用することができる。なお、外用ゲル基剤がシート状で成形される場合には、その断面形状は、楕円、四角、台形、逆台形等の種々の形状を有することができ、なかでも、台形等の場合には、平面における面積の大きい面を人体の皮膚へ貼付すると、皮膚からの剥がれを有効に防止することができるため、好ましい。
【００３６】
このような外用ゲル基剤は、適当な大きさ又は量を、ポリエチレン等の合成樹脂製袋や熱溶着可能な合成樹脂フィルムとアルミフィルムとがラミネートされた袋やブリスタパッケージ等によって包装して供給することができる。なお、ブリスタパッケージ等に収納する場合には、ブリスタパッケージ自体をゲル状組成物の成型に利用してもよいし、ゲル状組成物を所定の厚さに流延してシート状に成形し、所望の形状に切り取り又は打ち抜き等して、これをブリスタ容器に収納してもよい。また、ブリスタパッケージ等を用いて成型、収納する場合、ブリスタパッケージのゲル状組成物が収納される凹部以外の領域に、例えば、網目状等の二次元方向に凹凸又は突条リブが形成されていることが好ましい。これにより、ゲル状組成物が大きなシート状で形成される場合でも、歪、たわみ等がなく、平坦なシートを得ることができる。さらに、上記ブリスタパッケージの凹部底面に網目状等の二次元方向に凹凸やランダムな凹凸が施されていると、この凹部内で成形される外用ゲル基剤の表面にその凹凸模様が転写されて適用時にここに化粧剤等が担持され易くなる点及び乱反射して気泡等が目立たなくなる点で好ましい。
【００３７】
なお、ブリスタ容器の材質としては、射出成形、真空成形、圧空成形等が可能な熱可塑性樹脂（例えば、ポリプロピレン、ポリエチレンテレフタレート、ポリスチレン等）を用いることが好ましいが、これに限定されるものではない。また収容させるゲル組成物の性質及びゲル組成物に添加させる各種の物質を考慮して、透光性又は遮光性等の特性をもつ材質を用いることが好ましい。ブリスタ容器は単一の樹脂で構成されたものであっても、複数の樹脂層のラミネート体や、樹脂層と金属層その他の層とのラミネート体であってもよい。ブリスタ容器の厚みは、携帯時、流通時、保存時等に加わる力に耐える機械的強度を有するように設定することが好ましく、例えば、射出成形による場合には、３０〜１０００μｍが挙げられる。また、特に光や酸素、水分に弱く安定性を要する薬剤を配合する場合はさらに、アルミ分包、さらには脱酸素剤、シリカゲルなどの乾燥剤を用いることが相応しい。
【実施例】
【００３８】
以下に、本発明の外用ゲル基剤及び容器充填型パッド材の実施例について説明する。
【００３９】
ゲル状組成物の全量を１００質量％として、以下の処方のゲル状組成物を調製した。なお、下記実施例１〜１０において、共通するゲル状組成物の形成方法は下記のとおりである。
【００４０】
すなわち、先ず容器にグリセリンをとり、ユニオックスＧ−１２００〔ポリオキシエチレングリセリン(２６Ｅ.Ｏ)、（日本油脂(株)製）〕を溶解・分散し、これにカラギーナ
ン、ローカストビーンガム、グルコマンナン、ＣＭＣ等のゲル成分及び防腐剤（パラベン）をよく攪拌しながら少量ずつ加える。さらにソルビトールに添加混し、さらに水を適量混合後加温・撹拌して均一なゲル分散湿潤水溶液を得る。
【００４１】
上記で得られたゲル分散湿潤水溶液に、ポリフェノール類及びエキス成分（レモンエキス、キャロットエキス、トマトエキス）並びにベタイン、ＳＣ−１０００〔Ｃ12-16パレス５、Ｃ12-16パレス７、トール酸、（インフィニティ社製）〕を添加し、加温・撹拌して均一なゲル溶液を得る。
【００４２】
上記調製されたゲル溶液に、架橋剤（ＫＣｌ）水溶液を加え、全量を１００ｇに水を加えて調製し、均一になるように加温・維持し、溶液内の気泡を排除する。上記加熱溶液を固化させることにより、本発明の外用ゲル基剤が得られ、また、上記加熱溶液を所定のブリスタ容器に充填し、アルミラミネートフィルム等のカバー材にてシールすれば、本発明の容器充填型パッドが得られる。
【００４３】
実施例１：
カラギーナン                          ０.７５質量％
ローカストビーンガム                  ０.６質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
オリーブ果実エキス(※１)              ０.５質量％
ＳＣ−１０００                        １質量％
ベタイン                              ２質量％
レモンエキス                          ０.１質量％
キャロットエキス                      ０.１質量％
トマトエキス                          ０.１質量％
パラベン                              ０.２質量％
架橋剤（ＫＣｌ）                      ０.４５質量％
水                                  残部
(※１)オリーブ果実エキス(総ポリフェノール量１０％)
【００４４】
実施例２：
カラギーナン                          ０.８質量％
ローカストビーンガム                  ０.５質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
オリーブ葉エキス(※２)                ０.２５質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
(※２)オリーブ葉エキス(総ポリフェノール量２０％)
【００４５】
実施例３：
カラギーナン                          ０.８質量％
ローカストビーンガム                  ０.４質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
オリーブ水抽出物(※３)                １質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
(※３)オリーブ油抽出物(総ポリフェノール量１０％)
【００４６】
実施例４：
カラギーナン                          ０.７５質量％
ローカストビーンガム                  ０.６質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
黒米エキス(※４)                      ０.０１質量％
ＳＣ−１０００                        １質量％
ベタイン                              ２質量％
レモンエキス                          ０.１質量％
キャロットエキス                      ０.１質量％
トマトエキス                          ０.１質量％
パラベン                              ０.２質量％
架橋剤（ＫＣｌ）                      ０.４５質量％
水                                  残部
(※４)黒米エキス(総ポリフェノール量５％)
【００４７】
実施例５：
カラギーナン                          ０.８質量％
ローカストビーンガム                  ０.５質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
黒米エキス                            ０.２５質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
【００４８】
実施例６：
カラギーナン                          ０.８質量％
ローカストビーンガム                  ０.４質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
黒米エキス                            ２質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
【００４９】
実施例７：
カラギーナン                          ０.７５質量％
ローカストビーンガム                  ０.６質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
オリーブ果実エキス                    ０.５質量％
黒米エキス                            ０.２５質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
【００５０】
実施例８：
カラギーナン                          ０.７５質量％
ローカストビーンガム                  ０.６質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
オリーブ水抽出物                      ０.５質量％
黒米エキス                            ０.０５質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
【００５１】
実施例９：
カラギーナン                          ０.７５質量％
ローカストビーンガム                  ０.６質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
オリーブ葉エキス                      ０.５質量％
黒米エキス                            ０.１質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
【００５２】
実施例１０：
カラギーナン                          ０.７５質量％
ローカストビーンガム                  ０.６質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
オリーブ果実エキス                    ０.５質量％
黒米エキス                            ０.５質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
【００５３】
実施例１１：
カラギーナン                          ０.７５質量％
ローカストビーンガム                  ０.６質量％
グルコマンナン                        ０.１２質量％
ＣＭＣ                                １質量％
ユニオックスＧ−１２００              ２.５質量％
濃グリセリン                          １５質量％
７０％ソルビトール液                  １０質量％
黒砂糖                                １.０質量％
ベタイン                              ２質量％
ＳＣ−１０００                        １質量％
レモンエキス                          ０.１質量％
キャロットエキス                      ０.１質量％
トマトエキス                          ０.１質量％
メチルパラベン                        ０.２質量％
架橋剤（ＫＣｌ）                      ０.４５質量％
水                                  残部
【００５４】
試験例１
上記実施例１〜１１で得られた１１種類の外用ゲル基剤のゲル強度を測定した。ゲル強度の測定は、テクスチャーアナライザー（(株)島津製作所製）を用い、直径３０ｍｍψの円筒プランジャーを用いて、１０ｍｍ／ｍｉｎの速度で、直径９ｍｍψの円形断面で長さ１０ｍｍの円筒形に成形したサンプルを圧縮し、ゲル構造の一部が破損する際の最大荷重を求めた。なお、５個のサンプルの測定値の平均値を用いた。また、（    ）内に示した数値は、各実施例においてそれぞれの配合からポリフェノール類のみ又は黒砂糖を除いて順次形成した比較例１〜１１のサンプルについて上記と同様に測定したゲル強度である。
【００５５】
実施例１の組成物：ゲル強度      ６.２Ｎ（  ３.１Ｎ）
実施例２の組成物：ゲル強度      ５.０Ｎ（  ３.２Ｎ）
実施例３の組成物：ゲル強度      ６.１Ｎ（  ２.８Ｎ）
実施例４の組成物：ゲル強度      ４.４Ｎ（  ３.１Ｎ）
実施例５の組成物：ゲル強度      ８.２Ｎ（  ３.２Ｎ）
実施例６の組成物：ゲル強度      ８.９Ｎ（  ２.８Ｎ）
実施例７の組成物：ゲル強度    ２４.０Ｎ（  ３.１Ｎ）
実施例８の組成物：ゲル強度      ７.６Ｎ（  ３.１Ｎ）
実施例９の組成物：ゲル強度    ２６.５Ｎ（  ３.１Ｎ）
実施例１０の組成物：ゲル強度  ２７.９Ｎ（  ３.１Ｎ）
実施例１１の組成物：ゲル強度    ３.８Ｎ（  ３.１Ｎ）
【００５６】
上記試験例から理解されるように、ポリフェノール類を混入させた実施例１〜１０の外用ゲル基剤はいずれも、対応する比較例１〜１０の外用ゲル基剤に対してゲル強度が約１.４〜８.９倍に大きくなっており、千切れたり、折れたり、割れたりし難くなっていることが分かる。また、黒砂糖を混入させた実施例１１の外用ゲル基剤も、対応する比較例の外用ゲル基剤に対してゲル強度が約１.２倍程度に大きくなっていることが分かる。
【００５７】
応用例１：目元用シート
実施例１及び３の各処方の加熱溶液を、図１に示す略勾玉状凹部(1a1)を有するブリスタ容器１ａにそれぞれ充填して成型した後、アルミラミネート蓋材２ａにて剥離可能に密封し、本発明の外用ゲル基剤が目元用シートに成型・密封された容器充填型パッド材Ａ１を得た。
【００５８】
上記各容器充填型パッド材において、まず、ブリスタ容器に充填する際各ゲル組成物の加熱容器は粘度が小さくて非常に薄く（厚さ約１.５ｍｍ）かつ容器の隅々まで充填できた。
【００５９】
また、各容器充填型パッド材から蓋材を剥離して、ブリスタ容器に成形されている目元用シートを取り出しかつ目元に貼付する際、固化したゲルシートは上記ゲル強度を有するため、指でゲルシートを掴む圧力や掴みながら引っ張る力をかけても、シートに折れや割れが生じたり、破れたりすることはなかった。
【００６０】
さらに、各ゲルシートは、ポリフェノール類に基づく褐色に色づけされているので、ゲルを構成する素材自身に基づく色ムラや変色が目立たないものであった。
【００６１】
応用例２：首用シート
実施例５の処方の加熱溶液を、図２に示す瓢箪形凹部(1b1)を有するブリスタ容器１ｂに充填して薄く成型（厚さ約１.５ｍｍ）した後、アルミラミネート蓋材２ｂにて剥離可能に密封し、本発明の外用ゲル基剤が首用シートに成型・密封された容器充填型パッド材Ａ２を得た。
【００６２】
これを、上記と同様にして首後部に適用したところ、ブリスタ容器からの取り出しにも、また貼り付けるときにも、またさらに剥がすときも、指でシートを掴む圧力や掴みながら引っ張る力をかけても、シートに折れが生じたり、破れたりすることはなかった。
【００６３】
応用例３：口唇用シート
実施例６〜１１の各処方の加熱溶液を、図３に示す形状の凹部(1c1)を有するブリスタ容器１ｃに充填して薄く成型（厚さ約１.５ｍｍ）した後、アルミラミネート蓋材２ｃにて剥離可能に密封し、本発明の外用ゲル基剤が口唇用シートに成型・密封された容器充填型パッド材Ａ３を得た。
【００６４】
上記各容器充填型パッド材において、まず、ブリスタ容器に充填する際各ゲル組成物の加熱容器はいずれも粘度が小さくて、図に示すような鋭角な部分にも気泡を抱き込まずスムーズに充填され、かつ非常に薄く（厚さ約１.５ｍｍ）充填できた。
【００６５】
また、各容器充填型パッド材から蓋材を剥離して、ブリスタ容器に成形されている口唇用シートを取り出しかつ口唇に貼付する際、固化したゲルシートは上記ゲル強度を有するため、指でゲルシートを掴む圧力や掴みながら引っ張る力をかけても、シートに折れや割れが生じたり、破れたりすることはなかった。
【図面の簡単な説明】
【００６６】
【図１】本発明の外用ゲル基剤で形成したブリスタ容器に収納された目元用シートの一例を示す斜視図である。
【図２】本発明の外用ゲル基剤で形成したブリスタ容器に収納された首用シートの一例を示す斜視図である。
【図３】本発明の外用ゲル基剤で形成したブリスタ容器に収納された口唇用シートの一例を示す斜視図である。
【符号の説明】
【００６７】
Ａ１      目元用容器充填型パッド材
Ａ２      首用容器充填型パッド材
Ａ３      口唇用容器充填型パッド材
１ａ      目元用ブリスタ容器
１ｂ      首用ブリスタ容器
１ｃ      口唇用ブリスタ容器
２ａ      アルミラミネート蓋材
２ｂ      アルミラミネート蓋材
２ｃ      アルミラミネート蓋材
【図１】
2005320264.tif 000002
【図２】
2005320264.tif 000003
【図３】
2005320264.tif 000004